(57)【要約】【課題】  回路基板の電気回路のレイアウトの自由度を高め、電気接続部での抜き差しによる前記回路基板の撓み変形を抑制できる電気ボックスを提供する。【解決手段】  ケース１１内に回路基板２２を収容し、回路基板２２に設けられた第一の電気接続部２６に第二の電気接続部３３の差し込みおよび引き抜きがされる電気ボックス１０である。第一の電気接続部２６は、その電気接続口２６ｂが設けられた端面２６ａに関して直角な配置関係を有する平坦な複数の周壁部分を有し、第一の電気接続部２６は、複数の前記周壁部分の内、面積が最も大きな前記周壁部分で、回路基板２２の平面上に取り付けられている。これにより、第二の電気接続部３３の抜き差しにより第一の電気接続部２６にかかった力は、回路基板２２にその平面に沿った方向で力が作用することとなり回路基板２２の撓み変形を抑制できる。【選択図】  図１
2005101176.tif 000002
【特許請求の範囲】
【請求項１】
回路基板と、該回路基板に設けられ、端面に電気接続口が設けられた第一の電気接続部と、前記回路基板を収容し、前記電気接続口を経て前記第一の電気接続部への第二の電気接続部の差し込みおよび引き抜きを許す接続開口が形成されたケースとを備える電気ボックスであって、
前記第一の電気接続部は、前記端面に関して直角な配置関係を有する平坦な複数の周壁部分を有し、前記第一の電気接続部は、複数の前記周壁部分の内、面積が最も大きな前記周壁部分で、前記回路基板の平面上に取り付けられていることを特徴とする電気ボックス。
【請求項２】
前記第一の電気接続部は、直方体形状を呈し、前記端面に関して直角に配置される平坦な一対の長辺壁部分の一方で、前記回路基板の平面上に取り付けられていることを特徴とする請求項１に記載の電気ボックス。
【請求項３】
前記回路基板には、前記ケースへの取り付けのためのブラケットが設けられ、前記ケースは、前記接続開口が形成され、前記回路基板の挿入を可能にする開放端が設けられたケース本体と、前記開放端を覆うように配置されるカバー部分とからなり、前記ブラケットは、前記開放端の縁部で、前記ケース本体と前記カバー部分とにより挟持されていることを特徴とする請求項１に記載の電気ボックス。
【請求項４】
前記ケース本体の対向する内壁面には、前記回路基板の両側縁部を受け入れるガイド部が形成され、前記ガイド部は、前記ケース本体の前記接続開口が形成された面に関して前記回路基板が直角に配置されるように該回路基板を支持していることを特徴とする請求項３に記載の電気ボックス。
【請求項５】
前記ケース本体と前記カバー部分とは、前記ケース本体の外側から、前記ブラケットを貫通し前記カバー部分に螺合する螺子で固定されることを特徴とする請求項３に記載の電気ボックス。
【請求項６】
さらに、前記回路基板に対して直交し、該回路基板と電気的に接続される第二の回路基板を備え、
前記カバー部分には、操作部を有する操作板が設けられ、前記第二の回路基板には、前記操作部の動作を受ける操作部本体が設けられ、前記第二の回路基板は、前記ブラケットと共に、前記ケース本体と前記カバー部分とに挟持されていることを特徴とする請求項３に記載の電気ボックス。
【請求項７】
前記ブラケットは、前記回路基板の前記第一の電気接続部が取り付けられた面と反対側の面に取り付けられていることを特徴とする請求項３に記載の電気ボックス。
【発明の詳細な説明】
【技術分野】
【０００１】
本発明は、ケ−ス内に回路基板が収容された電気ボックスに関し、特に、外部からの電線に設けられた接続部が抜き差し可能に接続される電気ボックスに関する。
【背景技術】
【０００２】
従来のこの種の電気ボックスには、スイッチ操作部が設けられ、例えば、作業機の運転座席の近傍に配置されたスイッチボックスとして用いられている（例えば、特許文献１参照。）。
【０００３】
前記スイッチボックスには回路基板が収容され、該回路基板には、前記スイッチボックスに設けられたスイッチ操作部の操作により作動されるスイッチ機構が設けられている。また、前記スイッチボックスには、前記回路基板と前記スイッチボックスの外部との電気信号の送受信を可能にする電気接続部が形成されている。
【０００４】
図４に示すように、従来の電気ボックス４０は、開放端４１ａが形成された直方体形状のケース４１を備える。ケース４１には、四本の支軸４２に支持された回路基板４３と、長支軸４４に支持された第二の回路基板４５とが、それぞれ開放端４１ａに対面する底面４１ｂと平行に設けられている。
【０００５】
回路基板４３には、直方体形状の第一の電気接続部４６が設けられ、その端面４６ａに設けられた電気接続口４６ｂをケース４１の底面４１ｂの接続開口４１ｃから露出させている。回路基板４３と第二の回路基板４５とは、フラットケーブル４７で電気的に接続され、第二の回路基板４５には、開放端４１ａに設けられた図示しないスイッチ操作部のスイッチ機構が設けられている。
【０００６】
第一の電気接続部４６と第二の電気接続部４８とは、電気接続口４６ｂに第二の電気接続部４８の電気接続口４８ａが挿入され、両接続口４６ｂ、４８ａに設けられた接続端子が相互に嵌合することにより、電気的に接続される。
【０００７】
第二の電気接続部４８は、図示しない前記作業機に接続されているので、前記作業機と電気ボックス４０とは、電気信号の送受信が可能となり、乗員が、前記スイッチ操作部を操作することで、前記作業機を操作することができる。
【特許文献１】特開２００２−２６２６３９号公報（第２−７頁、第６図）
【発明の開示】
【発明が解決しようとする課題】
【０００８】
しかしながら、従来の電気ボックス４０には、電気接続口４６ｂにおける第二の電気接続部４８の抜き差しの方向が回路基板４３に対して直角となるように第一の電気接続部４６が配置されている。このため、回路基板４３は、第二の電気接続部４８の第一の電気接続部４６へ抜き差しするときに第一の電気接続部４６にかかる力を板厚方向で受け止めることとなり、回路基板４３には撓みが生じてしまう。回路基板４３が大きく撓むと、回路基板４３上の回路や設置された部品等が傷ついてしまう。この大きな撓みを防止するために、回路基板４３を多数の支軸４２で支持する必要があった。回路基板４３の支軸４２が結合される個所には電気回路や電気部品等を配置することはできないため、この多数の支軸４２により回路基板４３の電気回路のレイアウトには制約が生じてしまう。
【０００９】
そこで本発明の目的は、回路基板の電気回路のレイアウトの自由度を高め、電気接続部での抜き差しによる前記回路基板の撓み変形を抑制できる電気ボックスを提供することである。
【課題を解決するための手段】
【００１０】
上記した課題を解決するために、請求項１に記載の電気ボックスは、回路基板と、該回路基板に設けられ、端面に電気接続口が設けられた第一の電気接続部と、前記回路基板を収容し、前記電気接続口を経て前記第一の電気接続部への第二の電気接続部の差し込みおよび引き抜きを許す接続開口が形成されたケースとを備える電気ボックスであって、前記第一の電気接続部は、前記端面に関して直角な配置関係を有する平坦な複数の周壁部分を有し、前記第一の電気接続部は、複数の前記周壁部分の内、面積が最も大きな前記周壁部分で、前記回路基板の平面上に取り付けられていることを特徴とする。
【００１１】
請求項２に記載の電気ボックスは、請求項１に記載の電気ボックスにおいて、前記第一の電気接続部は、直方体形状を呈し、前記端面に関して直角に配置される平坦な一対の長辺壁部分の一方で、前記回路基板の平面上に取り付けられていることを特徴とする。
【００１２】
請求項３に記載の電気ボックスは、請求項１に記載の電気ボックスにおいて、前記回路基板には、前記ケースへの取り付けのためのブラケットが設けられ、前記ケースは、前記接続開口が形成され、前記回路基板の挿入を可能にする開放端が設けられたケース本体と、前記開放端を覆うように配置されるカバー部分とからなり、前記ブラケットは、前記開放端の縁部で、前記ケース本体と前記カバー部分とにより挟持されていることを特徴とする。
【００１３】
請求項４に記載の電気ボックスは、請求項３に記載の電気ボックスにおいて、前記ケース本体の対向する内壁面には、前記回路基板の両側縁部を受け入れるガイド部が形成され、前記ガイド部は、前記ケース本体の前記接続開口が形成された面に関して前記回路基板が直角に配置されるように該回路基板を支持していることを特徴とする。
【００１４】
請求項５に記載の電気ボックスは、請求項３に記載の電気ボックスにおいて、前記ケース本体と前記カバー部分とは、前記ケース本体の外側から、前記ブラケットを貫通し前記カバー部分に螺合する螺子で固定されることを特徴とする。
【００１５】
請求項６に記載の電気ボックスは、請求項３に記載の電気ボックスにおいて、さらに、前記回路基板に対して直交し、該回路基板と電気的に接続される第二の回路基板を備え、前記カバー部分には、操作部を有する操作板が設けられ、前記第二の回路基板には、前記操作部の動作を受ける操作部本体が設けられ、前記第二の回路基板は、前記ブラケットと共に、前記ケース本体と前記カバー部分とに挟持されていることを特徴とする。
【００１６】
請求項７に記載の電気ボックスでは、前記ブラケットは、前記回路基板の前記第一の電気接続部が取り付けられた面と反対側の面に取り付けられていることを特徴とする。
【００１７】
請求項１に記載の電気ボックスでは、前記第一の電気接続部は、その前記端面と前記回路基板とが直角な配置関係を有し、且つ前記第一の電気接続部は、面積が最も大きな前記周壁部分で前記回路基板の平面上に取り付けられているので、前記回路基板上に安定して配置されることになる。このため、前記回路基板は、前記第二の電気接続部の抜き差し時に、前記第一の電気接続部にかかる力を、前記回路基板と平行な方向で確実に受け止めることになるので、前記回路基板には、前記力による撓みが防止される。
【００１８】
請求項２に記載の電気ボックスでは、直方体形状の前記第一の電気接続部を用いられており、この前記第一の電気接続部は、前記端面に関して直角に配置される平坦な一対の長辺壁部分の一方で、前記回路基板の平面上に取り付けられている。このため、前記第一の電気接続部を、その前記端面と前記回路基板とが直角な配置関係を有し、且つ前記回路基板上により安定して配置することができる。
【００１９】
請求項３に記載の電気ボックスでは、前記回路基板は、前記ケース本体の前記開放端の縁部で、前記ケース本体と前記カバー部分とに前記ブラケットが挟持されることにより前記ケースに固定される。これにより、前記回路基板の前記ケースへの取り付けが容易になり、前記ケースに、前記回路基板を固定するための従来のような支軸を設ける必要がなくなる。
【００２０】
請求項４に記載の電気ボックスでは、前記回路基板は、前記ガイド部により、前記ケース本体の前記接続開口が設けられた面に対して前記回路基板の平面が直交するようにその両側縁部で支持される。このため、前記ガイド部は、前記回路基板にその板厚方向の力が加わっても該回路基板の撓み変形および板厚方向へのずれを抑制できる。
【００２１】
請求項５に記載の電気ボックスでは、前記ブラケットは、前記ケース本体と前記カバー部分とを外側から固定する前記螺子で一緒に固定されるので、前記ケースの組み立てが容易である。
【００２２】
請求項６に記載の電気ボックスでは、前記ケース本体に形成された前記操作板の操作部が操作された動作を電気信号として、前記両電気接続部を通じて外部へと送ることができる。また、前記回路基板すなわち第一回路基板と前記第二の回路基板とは、前記ブラケットを介して直交するように配置されているので、前記第二の電気接続部の抜き差し時に前記第一の回路基板にかかる力は、前記第二の回路基板で受け止められる。このとき、前記第一の回路基板は、そのエッジのみが前記第二の回路基板に当接するとその衝撃で該第二の回路基板を傷つけてしまう虞がある。しかし、前記第一の回路基板には、さらに前記ブラケットが設けられているので、該ブラケットと前記エッジとが前記第二の回路基板に当接し、その衝撃を緩和することができるため前記第二の回路基板を傷つけることを防止することができる。
【００２３】
請求項７に記載の電気ボックスでは、前記ブラケットが前記回路基板の前記第一の電気接続部が設けられた面とは反対側の面に取り付けられているので、前記ブラケットを前記開放端の前記縁部で前記ケース本体と前記カバー部分とで挟持させるために前記ブラケットを前記第一の電気接続部を超えて伸長させる必要はない。これにより前記ブラケットの高さ寸法の低減を図ることができ前記ブラケットの撓み変形を抑制できる。
【発明の効果】
【００２４】
本発明に係る電気ボックスによれば、回路基板に設けられた第一の電気接続部が、その電気接続口への第二の電気接続部の差し込みおよび引き抜き方向と前記回路基板とが平行となるように前記回路基板上に安定して配置される。したがって、前記回路基板は、前記第二の電気接続部の抜き差し時に前記第一の電気接続部にかかる力は前記回路基板の面に沿って作用するので、該回路基板と平行な方向で受け止めることになる。これにより、前記回路基板には、電気接続部での抜き差し時にかかる力が前記回路基板の板厚方向に働くことはないので前記回路基板の撓み変形を抑制することができる。
【発明を実施するための最良の形態】
【００２５】
本発明を図１ないし図３に示した実施例に沿って詳細に説明する。
【実施例１】
【００２６】
図１は、作業機のスイッチボックスとして用いられた電気ボックス１０を示す。
【００２７】
実施例１に係る電気ボックス１０は、ケース１１を備える。ケース１１は、ケース本体１２とカバー部分１３とからなる。ケース本体１２は直方体形状を呈し、一対の長辺壁１４および一対の短辺壁１５からなる周壁と、一対の端面の一方である奥壁１６とを有し、他方の端面は開放端１７である。ケース本体１２の奥壁１６には接続開口１６ａが形成されている。接続開口１６ａは矩形状を呈しその各辺が、奥壁１６を規定している各辺と平行に形成されている。
【００２８】
ケース本体１２の周壁の内、一対の長辺壁１４の各内壁面１４ａには突起部１８が形成されている。一方の内壁面１４ａには二本の突起部１８が、他方の内壁面１４ａには一本の突起部１８が形成されている。各突起部１８は、それぞれの内壁面１４ａの長手方向に沿って形成され、一方の端面、すなわち奥壁１６から開放端１７に至る。
【００２９】
ケース本体１２の一対の長辺壁１４の外壁面１４ｂには、突起部１８の形状に対応した窪みをもつ凹所１９が形成されている。凹所１９は、奥壁１６から開放端１７の近傍まで伸びている。
【００３０】
開放端１７の縁部１７ａには、突起部１８に対応して円柱形状のボス２０が形成されている。ボス２０には、中心軸に沿って貫通する軸孔２０ａが形成されている。軸孔２０ａは、凹所１９に開放する。
【００３１】
ケース本体１２には、その開放端１７を覆うようにカバー部分１３が配置される。カバー部分１３の開放端１７を覆う上面部には操作板２１が設けられ、操作板２１から直角に伸長しケース本体１２を取り囲む側壁部１３ａでケース本体１２と嵌合する。操作板２１には、押圧可能な操作部２１ａが配置されている。操作部２１ａには、その表面に各操作部２１ａの機能を表し光の透過を許す表示記号(図示せず)が形成されている。
【００３２】
カバー部分１３はケース本体１２に嵌合して結合されることでケース１１を形成し、このケース１１内部に回路基板２２が収容される。
【００３３】
回路基板２２をケース１１のケース本体１２に保持するために、ケース本体１２の一対の短辺壁１５の内壁面１５ａには、長手方向に沿って伸長する一対の突部２３がそれぞれ形成されている。一対の突部２３は、互いに平行に奥壁１６から開放端１７まで伸長し、互いの間に溝２４を形成している。
【００３４】
ケース本体１２には、溝２４に嵌合して回路基板２２が配置される。回路基板２２はその平面が矩形の板形状を呈している。回路基板２２には、図示しない電気回路が形成されている。組み立て時に回路基板２２は、その両側縁部２２ａが溝２４に嵌合するように、開放端１７から挿入される。このことから、溝２４および該溝を規定している一対の突部２３はガイド部２５として機能する。
【００３５】
回路基板２２の表面２２ｂには第一の電気接続部２６が設けられている。第一の電気接続部２６は六つの平坦面により規定される直方体形状を呈し、その一つの平坦面である端面２６ａには、電気接続口２６ｂが形成されている。第一の電気接続部２６は、回路基板２２がケース本体１２に収容されたときに、電気接続口２６ｂがケース本体１２の接続開口１６ａと整合するように回路基板２２の後端部の近傍で、その表面２２ｂ上に配置されている。第一の電気接続部２６は、その端面２６ａと直交する一対の長辺壁部分２６ｃ、すなわち最も大きな周壁部分で回路基板２２の表面２２ｂに取り付けられている。電気接続口２６ｂには、雌部接続端子２６ｄが形成されている。第一の電気接続部２６の端面２６ａと反対側に位置する外壁部分である底壁部分２６ｅには、複数の接続子２６ｆが設けられている。複数の接続子２６ｆは、その一方が第一の電気接続部２６の内部で雌部接続端子２６ｄと接続され、他方が底壁部分２６ｅから回路基板２２の表面２２ｂに伸長し、図示しない前記電気回路に接続されている。
【００３６】
回路基板２２の表面２２ｂには一対のブラケット２７が設けられている。各ブラケット２７は、回路基板２２の表面２２ｂに取り付けられる基部２７ａと、基部２７ａから直角に立ち上がる取り付け部２７ｂとを有し、全体的にＬ字型を呈している。各取り付け部２７ｂは、回路基板２２がケース本体１２に収容されたときにケース本体１２の開放端１７側に位置する回路基板２２の前端面２２ｃに、面を揃えて直角に立ち上がっている。各取り付け部２７ｂには、ケース本体１２に形成されたボス２０の挿通を許す貫通孔２７ｃが形成されている。各ブラケット２７は、回路基板２２がケース本体１２に収容されたときにケース本体１２に形成されたボス２０と貫通孔２７ｃとが整合するように、配置されている。
【００３７】
ケース本体１２とカバー部分１３との間には、回路基板２２と直交するように矩形の第二の回路基板２８が配置される。第二の回路基板２８には、互いに面を揃えて配置されているブラケット２７の取り付け部２７ｂと回路基板２２の前端面２２ｃとが当接可能である。第二の回路基板２８には、ケース本体１２に形成されたボス２０と位置を合わせて、ボス２０を受け入れる切り欠き部２８ａが形成されている。
【００３８】
第二の回路基板２８には、カバー部分１３の操作板２１側に位置する面に、操作板２１の操作部２１ａに対応してスイッチ機構２９と光源３０とが設けられている。スイッチ機構２９は、それぞれに対応した操作部２１ａが押圧される毎に電気的なスイッチ接点の開閉をする。光源３０は、例えばスイッチ機構２９の操作毎に点灯および消灯するように設定され、配置されている。第二の回路基板２８には、スイッチ機構２９および光源３０を上記した回路基板２２の電気回路と接続するフラットケーブル３１が設けられている。
【００３９】
上記したように回路基板２２は、ケース本体１２に形成されたガイド部２５に受け入れられるように挿入されケース本体１２内に配置される。この配置により、第一の電気接続部２６の電気接続口２６ｂがケース本体１２に形成された接続開口１６ａから外部に露出し、回路基板２２に設けられたブラケット２７の貫通孔２７ｃにはケース本体１２のボス２０が挿通される。第二の回路基板２８は、回路基板２２と直交して配置され、回路基板２２の前端面２２ｃと該前端面とに面を揃えて配置されているブラケット２７の取り付け部２７ｂとが当接するように、配置される。ケース本体１２は、その開放端１７の縁部１７ａとカバー部分１３とで、ブラケット２７の取り付け部２７ｂと第二の回路基板２８の切り欠き部２８ａの周辺とを挟み込む。このときケース本体１２のボス２０は、貫通孔２７ｃおよび切り欠き部２８ａを通りケース本体１２の開放端１７を覆うカバー部分１３に当接し、該カバー部分の当接した個所に設けられた螺子穴(図示せず)にボス２０の軸孔２０ａを貫通した螺子３２が螺合することでケース１１は固定される。電気ボックス１０は、ケース本体１２に形成された接続開口１５ａから第一の電気接続部２６の電気接続口２６ｂをその抜き差し方向とケース１１内の回路基板２２とが平行となるように露出させている。
【００４０】
露出した第一の電気接続部２６の電気接続口２６ｂには、図示しない作業機の回路本体から伸びるコード３３ａの先端に設けられた従来と同様な第二の電気接続部３３に形成された電気接続口３３ｂが抜き差しされる。電気接続口３３ｂに形成された雄部接続端子３３ｃと第一の電気接続部２６の雌部接続端子２６ｄとが嵌合することで、電気ボックス１０と前記作業機とは切り離し可能に電気的に接続される。
【００４１】
従来よく知られているように、乗員は、操作板２１に設けられた操作部２１ａを押圧操作することでスイッチ機構２９を動作させることができる。スイッチ機構２９は物理的な動作をそれに応じた電気信号に変換する。その電気信号に応じて回路基板２２は、第一の電気接続部２６から第二の電気接続部３３を通り前記作業機に電気信号として送信する。光源３０は、操作板２１により選択されている前記作業機の動作内容が一見して判断できるようにその動作を表す表示記号(図示せず)を点灯させている。これにより、乗員は、操作板２１を操作することで、前記作業機を操作することができる。
【００４２】
実施例１に係る電気ボックス１０では、第二の電気接続部３３の雄部接続端子３３ｃと、第一の電気接続部２６の雌部接続端子２６ｄとは、その結合が前記作業機の使用中に外れるようなことがあると困るので、両接続端子は容易に抜けないように固く嵌合している。このため、第二の電気接続部３３の引き抜き時には、第一の電気接続部２６に第二の電気接続部３３の引き抜きのための強い力がかかってしまう。第一の電気接続部２６は、引き抜き方向と回路基板２２の平面とが平行になるように、回路基板２２の表面２２ｂに安定して取り付けられているので、第一の電気接続部２６にかかった力は回路基板２２の平面に沿って回路基板２２に作用することとなる。回路基板２２にかかった力はブラケット２７を介してケース本体１２の縁部１７ａにより受け止められる。
【００４３】
また、両接続端子の嵌合時には引き抜き時と同様に、第一の電気接続部２６に第二の電気接続部３３の差し込みのための強い力がかかる。第一の電気接続部２６にかかった力は、回路基板２２の平面と平行な方向で回路基板２２に作用することとなり、ブラケット２７と回路基板２２とが当接する第二の回路基板２８で受けとめられる。
【００４４】
実施例１に係る電気ボックス１０によれば、第一の電気接続部２６にかかる力の方向が回路基板２２と平行となるように第一の電気接続部２６が配置されている。これにより、第一の電気接続部２６に抜き差しの方向にかかった力は、回路基板２２の板厚方向に作用することはなく、回路基板２２の平面と平行な方向で回路基板２２に作用することとなるので回路基板２２の撓みを防止できる。さらに回路基板２２は、その両側縁部２２ａを挟み込むようにガイド部２５により支持されているため、撓みおよび板厚方向へのずれが抑止されている。また回路基板２２にかかった力は、ブラケット２７を介して方向は一定のまま第二の回路基板２２またはケース本体１２の縁部１７ａにかかることとなり、抜き差しによる力が回路基板２２にその板厚方向で作用することはなく回路基板２２の撓みを防止できる。
【００４５】
回路基板２２は、その前端面２２ｃと回路基板２２に設けられたブラケット２７の取り付け部２７ｂとが第二の回路基板２２に当接するように配置されている。このため、回路基板２２が第二の回路基板２２へ当接する時の衝撃は、前端面２２ｃと取り付け部２７ｂとが当接することで緩和され、第二の回路基板２２を傷つけることはない。
【００４６】
また、電気ボックス１０では、第一の電気接続部２６にかかる力の方向が回路基板２２と平行となるように配置することで回路基板２２の撓みを防止しているので、従来の電気ボックスのように回路基板の撓みを防止するために多数の個所を支軸で支える必要はない。回路基板２２は、その表面２２ｂの端部に取り付けられたブラケット２７と、両側縁部２２ａを嵌合するケース本体１２のガイド部２５とで支持されており、従来の電気ボックスのように、回路基板２２の中央部には支持する部材に結合する個所が多数設けられてはいない。このため、回路基板２２の電気回路のレイアウトの自由度が高められている。
【００４７】
ケース本体１２の凹所１９は、ケース本体１２とカバー部分１３とを固定する螺子３２を螺合するためのものであり、ケース本体１２の補強およびヒケ防止にもなっている。
【００４８】
したがって、実施例１によれば、回路基板２２の電気回路のレイアウトの自由度を高め、第一の電気接続部２６での第二の電気接続部３３の抜き差しによる回路基板２２の撓み変形を抑制できる電気ボックス１０を提供することができる。
【実施例２】
【００４９】
次に実施例２について説明する。実施例２は、実施例１の電気ボックス１０の第一の電気接続部２６を、回路基板２２の裏面２２ｄ、すなわちブラケット２７０が配置された面と異なる面に取り付けた例である。なお、実施例２の基本的な構成は実施例１と同様であるので、同一機能部分には実施例１における同一の符号を付し、その詳細な説明は省略する。
【００５０】
図２に示すように、電気ボックス１０には、ケース１１内に配置された回路基板２２の裏面２２ｄに実施例１と同様な姿勢で第一の電気接続部２６が取り付けられている。
【００５１】
ガイド部２５は、第一の電気接続部２６に形成された電気接続口２６ｂがケース本体１２に形成された接続開口１６ａと整合する位置に回路基板２２を支持するように形成されている。回路基板２２は、図２に示す例ではケース１１内で上方に片寄って配置され、第一の電気接続部２６の電気接続口２６ｂへの抜き差し方向と直角な配置関係を有している。
【００５２】
一対のブラケット２７０は、実施例１と同様に回路基板２２をケース本体１２に収容したときにケース本体１２のボス２０に対応する位置に配置されている。ケース本体１２とカバー部分１３とは、各ブラケット２７０を挟み込んで嵌合してケース１１を形成している。各ブラケット２７０は、図３に示すようにカバー部分１３に適合した形状を呈し、回路基板２２の表面２２ｂに取り付けられる基部２７０ａと、基部２７０ａから直角に立ち上がる取り付け部２７０ｂと基部２７０ａから水平に伸長する凸部２７０ｄとを有する。取り付け部２７０ｂにはケース本体１２のボス２０の挿通を許す実施例１と同様な貫通孔２７０ｃが形成されている。各ブラケット２７０には、取り付け部２７０ｂから凸部２７０ｄに渡り補強リブ２７０ｅが形成されている。カバー部分１３には、各ブラケット２７０がケース本体１２とカバー部分１３とに挟持されたときに補強リブ２７０ｅを受け入れる凹部(図示せず)が形成されているので、補強リブ２７０ｅが挟持の妨げになることはない。
【００５３】
実施例１と同様に、第二の電気接続部３３の抜き差し時に第一の電気接続部２６にかかる力は回路基板２２の平面に沿って作用するので回路基板２２の撓み変形は抑制されている。この力は、ブラケット２７０を介して方向は一定のままカバー部分１３またはケース本体１２の縁部１７ａにかかる。
【００５４】
実施例２では、回路基板２２はケース本体１２内で上方に片寄って配置されている。ところで、ブラケット２７０が回路基板２２の第一の電気接続部２６と同じ面に設けられていると、一対の長辺壁１４に形成されたボス２０を挿通させてブラケット２７０を挟持するには、ブラケット２７０に第一の電気接続部２６以上の高さ寸法を必要とする。ブラケット２７０は、高さ寸法が大きくなるとブラケット２７０にかかる力の方向と直角に伸長することとなり、ブラケット２７０はその力により撓み変形を起こす虞がある。
【００５５】
しかし、本施例２ではブラケット２７０は、回路基板２２の第一の電気接続部２６と異なる面に取り付けられているので、第一の電気接続部２６の高さを考慮する必要はなく撓み変形を抑制できる高さに形成することができる。
【００５６】
したがって、実施例２によれば、第一の電気接続部２６での第二の電気接続部３３の抜き差しによる撓み変形が抑制された回路基板２２を、ブラケット２７０の撓みによる位置のずれが生じることなしにケース１１内で確実に保持することができる電気ボックス１０を提供することができる。
【００５７】
なお、上記した各実施例では、第一の電気接続部２６が雌部、第二の電気接続部３３が雄部として形成されていたが逆に形成しても良く、抜き差しにより電気的に接続されるものであれば、上記した各実施例に限定されるものではない。
【００５８】
また、上記した各実施例では、電気ボックス１０は、スイッチボックスとして用いられていたが、電気接続部の抜き差しの方向と該電気接続部が設けられた回路基板の平面とが平行関係を有すれば良く、上記した各実施例に限定されるものではない。
【図面の簡単な説明】
【００５９】
【図１】スイッチボックスとして用いられた本発明に係る電気ボックスを示す斜視図である。
【図２】スイッチボックスとして用いられた本発明に係る電気ボックスの他の実施例を示す断面図である。
【図３】図２における回路基板でのブラケットおよび第一の電気接続部の取り付けを示す側面図である。
【図４】従来の電気ボックスの回路基板の配置を示す斜視図である。
【符号の説明】
【００６０】
１０  電気ボックス
１１  ケース
１２  ケース本体
１３  カバー部分
１５ａ  内壁面
１６ａ  接続開口
１７  開放端
１７ａ  (開放端の)縁部
２０  操作板
２０ａ  操作部
２２  回路基板
２２ａ  両側縁部
２５  ガイド部
２６  第一の電気接続部
２６ａ  長辺壁部分
２６ｂ  端面
２６ｃ  電気接続口
２７  ブラケット
２７０  ブラケット
２８  第二の回路基板
２９  (操作部本体としての)スイッチ機構
３２  螺子
３３  第二の電気接続部
【図１】
2005101176.tif 000003
【図２】
2005101176.tif 000004
【図３】
2005101176.tif 000005
【図４】
2005101176.tif 000006